(57)【特許請求の範囲】
【請求項１】
ガイドローラと回転カッターとの間に粘着テープを挟持通過させて、回転カッターによって粘着テープにテープ長手方向に沿うミシン目を形成するよう構成するとともに、粘着テープに対する回転カッターの押圧力を調整するエアーシリンダ装置を備えてあり、前記エアーシリンダ装置はそれに供給される加圧エアーの供給圧が調整され
ることで前記回転カッターの押圧力を調整してミシン目の切断長さを調節し、かつ、前記エアーシリンダ装置は加圧エアーを供給されるエアー供給経路が開閉されることで、前記回転カッターを、粘着テープに押圧させるミシン目形成状態と、粘着テープへの接触を解除したミシン目形成解除状態とに切り替えることを特徴とする粘着テープのミシン目形成装置。
【請求項２】
一定経路に沿って移動する段ボール箱の外フラップの突き合わせ端辺に沿って粘着テープを貼付けるテープ貼付け機構を備えるとともに、このテープ貼付け機構よりもテープ移動経路上手位置に請求項１のミシン目形成装置を配備してあることを特徴とする段ボール箱の封緘装置。
【発明の詳細な説明】
【０００１】
【産業上の利用分野】
この発明は、段ボール箱の封凾処理などに用いられる粘着テープにミシン目を形成する装置、および、これを用いた段ボール箱の封緘装置に関する。
【０００２】
【従来の技術】
図８（ａ）に示すように、各種物品の梱包搬送に用いられる段ボール箱Ｗは、底面が組み上げられた状態において、四方の周壁部における短辺の上端から内フラップｆ1,ｆ2 がそれぞれ延設されるととももに、長辺の上端からから外フラップｆ3,ｆ4 がそれぞれ延出された状態になっており、箱内に物品を収容して内フラップｆ1,ｆ2 を折り込み、その上に外フラップｆ3,ｆ4 を折り重ね、その後、図８（ｂ）に示すように、折り込んだ外フラップｆ3,ｆ4 の突き合わせ端縁に沿って粘着テープＴを貼付けて封緘することになる。
【０００３】
【発明が解決しようとする課題】
上記封緘に用いられる粘着テープとしては、紙製のものや樹脂フィルムのものがある。紙製の粘着テープは手で破ったり、引き剥がしたりして開封することが可能であるが、開封する際に段ボール紙の一部をも引き剥がして損傷してしまい、空いた段ボール箱の再使用が行いにくい状態になりがちであった。また、樹脂フィルムの粘着テープは手で破り難いために、カッターナイフを用いて開封することが多く、このようにして開封した後の段ボール箱はそれ自体の損傷はなく、再使用にも適した状態となる。しかし、カッターナイフを用いての開封は、内部の物品に傷を付けないように丁寧に行う必要があり、開封に手間がかかるものであった。
【０００４】
そこで、カッターナイフを用いることなく綺麗に開封できる手段として、ミシン目の付いた粘着テープで封緘することも一部では行われている。
【０００５】
従来、粘着テープにミシン目を付ける装置としては、ガイドローラとミシン目形成用の回転カッターとの間に粘着テープを通過させるように構成したものが用いられていたのであるが、このミシン目は回転カッターによって決められた仕様となっていたために、所望の封緘強度を得るために異なったミシン目を得るためには、回転カッターの交換を行わねばならず、仕様変更のために手間がかかるものとなっていた。
【０００６】
本発明は、このような事情に着目してなされたものであって、所望の封緘強度を得るために異なった仕様のミシン目を簡単の得ることができる粘着テープのミシン目形成装置を提供することを主たる目的とする。また、このミシン目形成装置を用いて、ミシン目付きのテープ封緘を能率よく行うことのできる段ボール箱の封緘装置を提供することを他の目的としている。
【０００７】
【課題を解決するための手段】
この発明は、上記目的を達成するために次のような構成をとる。すなわち、請求項１に係る発明の粘着テープのミシン目形成装置は、ガイドローラと回転カッターとの間に粘着テープを挟持通過させて、回転カッターによって粘着テープにテープ長手方向に沿うミシン目を形成するよう構成するとともに、粘着テープに対する回転カッターの押圧力を調整するエアーシリンダ装置を備えてあり、前記エアーシリンダ装置はそれに供給される加圧エアーの供給圧が調整されることで前記回転カッターの押圧力を調整してミシン目の切断長さを調節し、かつ、前記エアーシリンダ装置は加圧エアーを供給されるエアー供給経路が開閉されることで、前記回転カッターを、粘着テープに押圧させるミシン目形成状態と、粘着テープへの接触を解除したミシン目形成解除状態とに切り替えることを特徴とする。
【０００９】
請求項２に係る発明の段ボール箱の封緘装置は、一定経路に沿って移動する段ボール箱の外フラップの突き合わせ端辺に沿って粘着テープを貼付けるテープ貼付け機構を備えるとともに、このテープ貼付け機構よりもテープ移動経路上手位置に請求項１のミシン目形成装置を配備してあることを特徴とする。
【００１０】
【作用】
請求項１の構成によると、回転カッターの粘着テープへの押圧力を変更すると、ミシン目ピッチは不変であるが、カッター刃の粘着テープへのくいこみ具合が変化することになり、押圧力が大きくなるほど切断長さの大きいミシン目が形成される。
【００１１】
また、ミシン目付き粘着テープを形成する時には、回転カッターを粘着テープへ押圧させる状態にし、ミシン目の付かない粘着テープで強度の高い封緘を行う時には、回転カッターを粘着テープから離反させるなどして、ミシン目形成解除状態に切り換える。
【００１２】
請求項２の構成によると、テープ貼付け装置へのテープ供給経路中で粘着テープにミシン目を付けることができ、かつ、その際、ミシン目の付け具合を任意に調整することができる。また、必要に応じて、ミシン目を付けない粘着テープで封緘処理することも可能となる。
【００１３】
【実施例】
図１に段ボール箱の封緘装置の要部の側面が示されている。
この段ボール箱封緘装置は、段ボール箱Ｗを載置する搬送台１の上方にテープ貼付け機構２を配備して構成されおり、搬送台１上に載置供給された段ボール箱Ｗは、上部ガイド３によって上方への浮き上がりが阻止された状態で、搬送台１に沿って配備された図示しない左右一対の搬送ベルトで左右から挟持されて、図中右方から左方に向けて水平に搬送されるようになっている。
【００１４】
テープ貼付け機構２の上部には、粘着テープＴの原反ロールＲＴが支持アーム４を介して支承されるとともに、固定フレーム５の前面にミシン目形成装置６が配備されている。原反ロールＲＴから繰り出された粘着テープＴは、ガイドローラ７を経てミシン目形成装置６に導かれ、ここで粘着テープＴの幅方向中央にテープ長手方向に沿うミシン目ｍが形成され、ミシン目ｍが形成さた粘着テープＴが、ガイドローラ８，９を介してテープ貼付け機構２に供給されるようになっている。
【００１５】
図１および図２に示すように、ミシン目形成装置６は、ガイドローラ７から導かれてきた粘着テープＴを、その粘着面を内側にして巻回案内する遊転自在なガイドローラ１０と、遊転自在な円盤状の回転カッター１１と、この回転カッター１１を軸支したカッターホルダー１２と、カッターホルダー１２をガイドローラ１０に対して進退自在に支持したエアーシリンダ装置１３とから構成されている。
【００１６】
図１中に示すように、エアーシリンダ装置１３には、エアーポンプやコンプレッサーなどのエアー供給源１４からの加圧エアーが圧力調整弁１５を介して供給されており、圧力調整弁１５を人為操作して供給圧を調整することで、粘着テープＴに対する回転カッター１１の押圧力を任意に調整することができるようになっている。
【００１７】
図３に示すように、回転カッター１１の周縁には、例えば、切断長さが約 5.0ミリ、継続部長さが約 0.5ミリのミシン目ｍを一定ピッチで形成するための刃ｅが断続的に形成されており、粘着テープＴへの押圧力を変えることで、ミシン目ｍのつけ具合を変化させることができる。つまり、回転カッター１１の粘着テープＴの押圧力を上げてゆくほど、図４中の（ａ），（ｂ），（ｃ）のように、ミシン目ｍの切断長さが大きくなってゆくのである。
【００１８】
また、エアーシリンダ装置１３は、内装したバネによって短縮付勢されるとともに、エアー供給経路には開閉弁１６が接続されており、この開閉弁１６を閉じておくことで、エアーシリンダ装置１３を進出させてミシン目形成状態を得ることができ、また、開閉弁１６を開くことで、エアーシリンダ装置１３を短縮差動させて、回転カッター１１を粘着テープＴから離反させたミシン目形成解除状態に切り換えることができるようになっているのである。
【００１９】
テープ貼付け機構２は以下のように構成されている。つまり、図５に示すように、このテープ貼付け機構２には、搬送経路の前後に位置する前部貼付けローラ２１と後部貼付けローラ２２、および、テープカッタ２３、等が備えられている。前部貼付けローラ２１および２２は、それぞれ支点Ｐ1 およびＰ2 を中心に上下揺動可能にフレーム板２４に支持された揺動アーム２５および２６の遊端にそれぞれ遊転自在に装備されるとともに、テープカッタ２３は、フレーム板２４に支点Ｐ3 を中心に上下揺動可能に支持された揺動アーム２７の遊端部に刃先を下向きにして取り付けられている。
【００２０】
そして、両揺動アーム２５，２６がリンク２８で連動連結されて、互いに逆回転で同調上下動するとともに、フレーム板２４と揺動アーム２６とに亘って張設したバネ２９によって両揺動アーム２５，２６を、その遊端が段ボール箱Ｗの搬送経路に突入するように付勢されている。揺動アーム２５の遊端近くにはガイドローラ６，７で案内されてきた粘着テープＴを保持するガイドローラ３０が装備され、粘着テープＴの先端を、その粘着面が搬送経路の上手（図では右方）に向かう姿勢で前部貼付けローラ２１の前面に案内保持している。また、揺動アーム２７もフレーム板２４とに亘って張設したバネ３２によってその遊端部２７ａが段ボール箱Ｗにおける横側角部の移動軌跡に突入するように付勢されている。
【００２１】
この粘着テープ貼付け機構２の作動は次のようである。
【００２２】
（１）  図５に示すように、段ボール箱Ｗが到達しない初期状態では粘着テープＴを支持した前部貼付けローラ２１、後部貼付けローラ２２、および、テープカッタ２３はそれぞれ段ボール箱Ｗの搬送経路に突入した位置にある。
【００２３】
（２）  段ボール箱Ｗが前部貼付けローラ２１に当接すると、粘着テープＴの先端部ｔａが段ボール箱Ｗの前面に貼付けられながら前部貼付けローラ２１がバネ２９に抗して上方に後退する。また、これに伴って後部貼付けローラ２２も上昇後退する。
【００２４】
（３）  段ボール箱Ｗがさらに前進すると、図６に示すように、前部貼付けローラ２１が段ボール箱Ｗ上に乗り上がって粘着テープＴを左右の外フラップｆ3 ，ｆ4 の突き合わせ端辺に沿って貼付けてゆく。この際、上昇後退した後部貼付けローラ２２も段ボール箱Ｗの移動経路上にあり、また、段ボール箱Ｗとの当接によって揺動アーム２７がバネ３２に抗して押し上げられてテープカッタ２３が粘着テープＴの上方に退避される。
【００２５】
（４）  段ボール箱Ｗがさらに前進して前部貼付けローラ２１が段ボール箱Ｗの後端から外れても、後部貼付けローラ２２が未だ段ボール箱Ｗ上に位置している間は前部貼付けローラ２１は上昇位置に保持され、段ボール箱Ｗ後端からはみだした粘着テープＴは緊張状態にある。ここで、揺動アーム２７の遊端部２７ａが段ボール箱Ｗの後端から外れると、バネ３２によってテープカッタ２３が下降して、上記のように緊張されている粘着テープＴを切断する。なお、ここで、揺動アーム２７の遊端部２７ａの突出長さを調節することでテープ切断位置を調節することができる。
【００２６】
（５）  段ボール箱Ｗがさらに前進することで、図７に示すように、下降付勢されている後部貼付けローラ２２が段ボール箱Ｗの上面から後面に亘って押圧接触しながら相対移動して、粘着テープＴの後端部ｔｂを段ボール箱Ｗ後面に周り込んで貼付けてゆき、テープ封緘が完了した段ボール箱Ｗを搬送経路の終端から搬出してゆく。
【００２７】
以上で、１回の粘着テープ貼付け作動が完了して初期状態に戻り、次の箱到達に備える。
【００２８】
なお、本発明は以下のような形態で実施することもできる。
（１）  エアーシリンダ装置１３を流路切換え弁を介して進退可能な復動型に構成して、回転カッター１１をエアー圧で強制的に後退させて、ミシン目形成解除状態を得るように構成することもできる。
（２）  上記実施例とは逆に、ミシン目形成装置６の回転カッター１１を位置固定し、これに対向するガイドローラ１０をエアー圧もしくはバネ圧でカッター側の押圧して、ミシン目の付き具合を調整するもよい。この場合、ガイドローラ１０を後退位置で固定して、ミシン目形成解除状態を得るようにしておくとよい。
【００２９】
【発明の効果】
以上の説明から明らかなように、この発明によれば次のような効果が期待できる。
請求項１に係る発明によれば、粘着テープに対する回転カッターの押圧力を調整することで、ミシン目の付き具合を任意に調整できるので、回転カッターの交換のような手間のかかる操作を要することなく、所望の封緘強度をもたらすミシン目付きの粘着テープを簡単容易に得ることができ、封緘強度を優先した、あるいは、開封時の取扱い性を優先した、任意のテープ封緘を行うことができるようになった。
【００３０】
また、ミシン目の付き具合を任意に調整できるのみならず、必要に応じてミシン目を付けない状態も得ることができ、封緘強度が特に要求される梱包においても便利に使用できる。
【００３１】
請求項２に係る発明によれば、段ボール箱のテープ封緘を行いながら、ミシン目形成を行うことができるので、前もってミシン目形成処理した粘着テープを準備する必要がなく、通常の粘着テープを用いながら、ミシン目付き粘着テープによるテープ封緘を能率よく行えるようになった。
【図面の簡単な説明】
【図１】実施例に係る段ボール箱の封緘装置の要部を示す側面図である。
【図２】ミシン目形成装置の斜視図である。
【図３】ミシン目形成用の回転カッターの一部を示す側面図である。
【図４】各種のミシン目が形成された粘着テープの一部を示す平面図である。
【図５】テープ貼付け工程を示す側面図である。
【図６】テープ貼付け工程を示す側面図である。
【図７】テープ貼付け工程を示す側面図である。
【図８】（ａ）は封緘処理前の段ボール箱の斜視図、（ｂ）は封緘処理の済んだ段ボール箱の斜視図である。
【符号の説明】
２          テープ貼付け機構
６          ミシン目形成装置
１０        ガイドローラ
１１        回転カッター
Ｗ          段ボール箱
ｆ3 ，ｆ4   外フラップ
【図１】
0004187059.tif 000002
【図２】
0004187059.tif 000003
【図３】
0004187059.tif 000004
【図４】
0004187059.tif 000005
【図５】
0004187059.tif 000006
【図６】
0004187059.tif 000007
【図７】
0004187059.tif 000008
【図８】
0004187059.tif 000009